(57)【要約】      （修正有）【課題】使い勝手と装飾性に優れたテニスやバトミントンラケットのグリップエンドのキャップを提供する。【解決手段】ラケットのグリップエンドに嵌着される筒状で有底のキャップ１において、キャップ１は、硬度６５〜８０の柔軟性を有する素材で形成されるとともに、該キャップ１の外側底面には表示部１ａ−１を該キャップ１と一体に形成して備えた。前記表示部にはラケットメーカーのロゴやクラブチームのロゴなどのデザインを多色でカラフルに表示して装飾性を高めることができる。【選択図】図２
0003178028.tif 000002
【実用新案登録請求の範囲】
【請求項１】
ラケットのグリップエンドに嵌着される筒状で有底のキャップにおいて、キャップは、硬度６５〜８０の柔軟性を有する素材で形成されるとともに、該キャップの外側底面には表示部を該キャップと一体に形成して備えたことを特徴とするラケットのグリップエンドのキャップ。
【請求項２】
該キャップの内側底面に薄板状のプレートを嵌装したことを特徴とする請求項１に記載のラケットのグリップエンドのキャップ。
【請求項３】
該キャップの素材は、熱硬化性エラストマー、または熱硬化性エラストマーの何れかであることを特徴とする請求項１または請求項２に記載のラケットのグリップエンドのキャップ。
【考案の詳細な説明】
【技術分野】
【０００１】  本考案は、テニスやバトミントンなどのラケットのグリップエンドに取り付けられるキャップに関するものである。
【背景技術】
【０００２】  昨今、テニスやバトミントンなどのラケットのフレームは、繊維強化樹脂製パイプで中空に形成されたラケットが主流である。これらラケットのグリップエンドには、ナイロンなどの硬質樹脂材で射出成形によって一体成形されたキャップが嵌着されており、脱落防止のためタッカーによってステープル（ピン）を打ち込んで固定されている。例えば特開２００１−３４６９１２号公報（特許文献１）のラケットの発明が解決しようとする課題（段落番号０００７）、図５（Ｂ）の符号１５及び発明の実施の形態（段落番号００３０）にこのような技術が記載されている。【０００３】  また、フレームを繊維強化樹脂製パイプで中空に形成されたラケットでは、ラケットの製造過程やガット孔の穿設時に生じたバリ屑などの異物をキャップを嵌着する前にグリップエンドの開口から排出しているが、打球時の衝撃などにより新たにバリ屑などの異物が生じ、この異物がプレー中にラケットの中空となったフレーム内を動き回ったり、キャップに当たったりして異音が発生しプレーに集中できないなどの問題があった。そこで、特開平５−２６９２２３号（特許文献２）のラケットフレームのグリップ構造及びその製法では、キャップのグリップ部後端開口に当たる位置に、別体の蓋を取り外し自在に取り付けて、蓋を取り外して異音の原因となる異物を中空部から取り出せるようにした技術が提案されている。【０００４】  さらに、これらキャップの底面には、ラケットメーカーのブランドロゴなどのデザインを一体的に成形し、ロゴの部分に金、銀色などのフィルムを熱融着してロゴを目立たせたり、デザインを施した樹脂製プレートを貼付したりして表示する方法が用いられている。例えば、特開平１０−１６５５４４号公報（特許文献３）のラケット用エンドキャップの従来技術（段落番号０００２）にこのような技術が記載されている。
【先行技術文献】
【特許文献】
【０００５】
【特許文献１】  特開２００１−３４６９１２号  公報
【特許文献２】  特開平５−２６９２２３号  公報
【特許文献３】  特開平１０−１６５５４４号  公報
【考案の概要】
【考案が解決しようとする課題】
【０００６】  ところで、前記した特許文献１に開示されたラケットのキャップは、当該公報の課題を解決するための手段の段落番号００２１に、具体的な高分子材料として６ナイロンや１２ナイロン、或いはポリスチレンブロックとビニル−ポリイソプレンブロックとを有するトリブロック共重合体単体（例えばクラレ社製のハイブラー）、或いはこれにポリプロピレンや無機充填材を配合した混合物などを挙げるとともに、段落番号００２２でキャップの材料は、或る程度の軟らかさはあった方が好ましいが或る程度の硬さ（剛性）は必要であることが記載されている。このようにキャップは硬質材で形成されているため、グリップしたときにキャップ部分の手の触感は硬くプレーヤーの手を痛めたり、衝撃を与えて肘を痛めたり、誤ってラケットを床に落下させたときに床に傷が付いたりといった課題があった。【０００７】  特許文献２に開示されたラケットフレームのグリップ構造及びその製法は、キャップのグリップ部後端開口に当たる位置に、別体の蓋を取り外し自在に取り付けたもので、蓋を取り外して異音の原因となる異物を中空部から取り出せるようにしたものであるが、この蓋部分自体が製造精度などによってスウィング時に異音の発生原因となることも指摘されている。【０００８】  特許文献３に開示された従来技術では、キャップの底面には、ラケットメーカーのブランドロゴなどのデザインを一体的に成形し、ロゴの部分に金、銀色などのフィルムを熱融着してロゴを目立たせたり、デザインを施した樹脂製プレートを貼付したりして表示しているが、キャップの底面にロゴを一体的に成形しロゴ部分に金などのフィルムを熱融着した場合では、キャップ本体とフィルムとの密着力が十分でないため、比較的短期間でフィルムが剥離してロゴが目立たなくなってしまう。また、キャップ底面に樹脂製プレートを貼付した場合では、プレートの粘着力が弱いと容易に剥離してしまったり、使用中に表面が傷つきデザインが見えなくなってしまったりという問題および部品点数が増えることによるコストへの影響があった。【０００９】  そこで、本考案は上記した課題を考慮し、使い勝手と装飾性に優れたラケットのグリップエンドのキャップを提供することを目的とするものである。
【課題を解決するための手段】
【００１０】  かかる課題を解決するために、本考案の請求項１によれば、ラケットのグリップエンドに嵌着される筒状で有底のキャップにおいて、キャップは、硬度６５〜８０の柔軟性を有する素材で形成されるとともに、該キャップの外側底面には表示部を該キャップと一体に形成して備えたことで解決される。【００１１】  また、本考案の請求項２によれば、該キャップの内側底面に薄板状のプレートを嵌装したことで解決される。【００１２】  さらに、本考案の請求項３によれば、該キャップの素材は、熱硬化性エラストマー、または熱硬化性エラストマーの何れかであることで解決される。
【考案の効果】
【００１３】  本考案の請求項１によれば、本考案の請求項１によれば、ラケットのグリップエンドに嵌着される筒状で有底のキャップにおいて、キャップは、硬度６５〜８０の柔軟性を有する素材で形成されるとともに、該キャップの外側底面には表示部を該キャップと一体に形成して備えたので、柔軟性を有するとはいえ適当な硬度も持ち合わせて従来のラケットの製造方法と同様にタッカーによってステープルを打ち込んでキャップを固定することができる。また、その柔軟性によってグリップした際の手のあたりが柔らかく、手を痛めたり衝撃で肘を痛めたりといったことを解消することができ、誤ってラケットをグリップエンドから床面に落下させてしまっても床面への傷付きを防止するとともに、ラケット自体の損傷を防止することができる。さらに、フレーム内部の異物が移動することで発生する異音もキャップが柔軟性を有しているので異音の発生を低減することができる。さらにまた、キャップの外側底面に表示部を一体に形成して備えたので、熱融着したフィルムのように剥がれたり、樹脂製プレートにように表面が傷ついたり外れたりして見苦しくなることがなく、キャップの外側底面にラケットメーカーのロゴなどのデザインを多色でカラフルに表示して装飾性の向上を実現した。【００１４】  本考案の請求項２によれば、該キャップの内側底面に薄板状のプレートを嵌装して備えたので、グリップエンドの開口が閉鎖されキャップの中央の凹みを防止しキャップ自体の強度を得ることができる。また、プレートの重量によって、ラケットの重量バランスを調整することができる。【００１５】  本考案の請求項３によれば、該キャップの素材は、熱硬化性エラストマー、または熱硬化性エラストマーの何れかであるので、柔軟性及びゴム弾性によって前記した効果を確実に得ることが可能となった。
【図面の簡単な説明】
【００１６】
【図１】キャップの装着状態を示すラケットの全体図である。
【図２】キャップの底面図（外側底面）である。
【図３】キャップの正面図である。
【図４】図２における第１実施例のＡ−Ａ線断面図である。
【図５】図２における第２実施例のＡ−Ａ線断面図である。
【考案を実施するための形態】
【実施例１】
【００１７】  以下、本考案のラケットのグリップエンドのキャップの第１の実施例について、図面を参照して詳細に説明する。図１は、キャップ（１）の装着状態を示すラケットの全体図、図２は、キャップ（１）の底面図、図３は、キャップ（１）の正面図、図４は、図２における第１実施例のＡ−Ａ線断面図である。【００１８】  図１に示されるように、キャップ（１）は、ラケット（２）のグリップエンド（２ａ）に嵌着され、図３及び図４に示されるように脱落防止のためタッカーによってステープルを打ち込んでグリップエンド（２ａ）に固定される。【００１９】  キャップ（１）は、硬度６５〜８０（ショアＡ）の柔軟性及びゴム弾性を有するエラストマー素材で外側底面（１ａ）に表示部（１ａ−１）をキャップ（１）と一体に備えて構成される。例えば熱硬化性エラストマーであるシリコン樹脂でキャップ（１）を成型する場合は、図２に示されるように（１）は、溶融したシリコン樹脂をオープン金型に流し込み（注型成形）加熱して熱硬化させることで形成される。他方、熱可塑性エラストマーであるＰＶＣ樹脂であれは、射出成形によって形成される。【００２０】  キャップ（１）は、前述のように硬度６５〜８０（ショアＡ）のエラストマー素材によって柔軟性及びゴム弾性を有して形成するとともに、外側底面（１ａ）に表示部（１ａ−１）を一体に形成して備えて構成したことによって以下に説明するような特徴を備えている。【００２１】  第１には、柔軟性及びゴム弾性を有するとはいえ適当な硬度も持ち合わせていることにある。すなわち、繊維強化樹脂製パイプで中空に形成されたラケットのグリップエンドに嵌着されるキャップを従来の製造方法と同様にタッカーによってステープルを打ち込んで固定することができる硬度を持ち合わせているのである。出願人の試験によれば硬度６０の場合は、タッカーによって打ち込まれたステープルはキャップ（１）の厚みを突き破り、グリップエンド（２ａ）のフレーム部分に達してしまうためキャップ（１）を固定することができなかったが、硬度６５からステープルがキャップ（１）の厚みを突き破ることなく固定できることを確認した。【００２２】  第２には、その柔軟性及びゴム弾性を有することにある。従来のナイロンなどの硬質樹脂材からなるキャップと比較してグリップした際の手のあたりが柔らかく、手を痛めたり衝撃で肘を痛めたりといったことを解消することができる。また、誤ってラケットを床面に落下させた場合のうち、グリップエンド（２ａ）から床面に落下した場合は、床面への傷付きを防止するとともに、ラケット自体の損傷を防止することができる。また、ラケットの使用過程で打球時の衝撃などにより生じたフレーム（２ｃ）内部の異物が移動することで発生する異音も、キャップ（１）が柔軟性を有しているので、異物がキャップ（１）の内側底面（１ｃ）に当たったとき異音の発生を低減することができる。【００２３】  第３には、キャップ（１）の外側底面（１ａ）に表示部（１ａ−１）を一体に形成して備えたことにある。図２に示されるように複数の表示部（１ａ−１）は、それぞれを異なる色とすることができる。例えば、ラケットメーカーのロゴやクラブチームのロゴなどのデザインを多���でカラフルに表示して装飾性を高めることができるのである。例えば、例えば熱硬化性エラストマーであるシリコン樹脂の場合は、キャップ（１）のオープン金型の外側底面（１ａ）に相応する部分に彫り込まれた複数の表示部（１ａ−１）にそれぞれ異なる着色をしたシリコン樹脂を注入し一度熱硬化させた後に、キャップ（１）本体のシリコン樹脂を流し込むことで容易に多色の表示部（１ａ−１）をキャップ（１）本体と一体にして形成することが可能となる。また、熱可塑性エラストマーであるＰＶＣ樹脂の場合は、射出成形によって２色成形によって容易に多色の表示部（１ａ−１）をキャップ（１）本体と一体にして形成することが可能となる。このように、表示部（１ａ−１）は、キャップ（１）本体と一体に成形されているので、熱融着したフィルムのように剥がれたり、樹脂製プレートにように表面が傷ついたり外れたりして見苦しくなることがなく、キャップ（１）の外側底面（１ａ）にラケットメーカーのロゴやクラブのロゴなどのデザインを多色でカラフルに表示して装飾性の向上を実現した。前記した熱硬化性エラストマーのシリコン樹脂の成型方法によれば、溶融したシリコン樹脂をオープン金型に流し込み（注型成形）加熱して熱硬化させることで形成されるので、射出成形のように大がかりでなく多色かつ小ロットで生産することが容易であるので少人数でクラブチームのロゴなどを表示することが可能である。【００２４】  なお、熱硬化性エラストマーは、一般的にゴムと呼ばれるウレタン樹脂、シリコン樹脂、フッ素樹脂などがあげられ、熱可塑性エラストマーは、スチレン系樹脂、オレフィン系樹脂、塩ビ系樹脂、ウレタン系樹脂、エステル系樹脂、アミド系樹脂、ＥＶＡ樹脂などがあげられ、何れも柔軟性及びゴム弾性を有するとともに硬度６５〜８０（ショアＡ）で形成することが可能であるのでキャップ（１）の素材として好適である。
【実施例２】
【００２５】  以下、本考案のラケットのグリップエンドのキャップの第２の実施例について、図面を参照して詳細に説明する。図５は、図２における第２実施例のＡ−Ａ線断面図である。第２実施例においては、キャップ（１）の内側底面（１ｃ）に薄板状のプレート（１ｄ）を備えたことにある。なお、第１の実施例で述べた特徴と重複することについては省略して説明をする。【００２６】  キャップ（１）の内側底面（１ｃ）に備えられたプレート（１ｄ）は、ＰＥ（ポリエチレン）、ＰＰ（ポリプロピレン）などの薄板からなり、キャップ（１）の内側底面（１ｃ）とともにグリップエンド（２ａ）の開口を閉鎖するとともに、ラケット（２）の重量バランスを調整するという特徴を備えている。【００２７】  第１には、キャップ（１）の内側底面（１ｃ）にプレート（１ｄ）を備えたことによって、グリップエンド（２ａ）の開口が閉鎖されキャップ（１）の中央の凹みを防止してキャップ（１）自体の強度を得ることができる。【００２８】  第２には、プレート（１ｄ）の重量によって、ラケット（２）の重量バランスを調整することができる。プレート（１ｄ）は、少ない面積かつＰＥやＰＰの薄板で極めて軽量とはいえ確実に重量バランスの調整に寄与する。特に軽量なバトミントンのラケットにおいては顕著な効果を得ることが可能である。
【符号の説明】
【００２９】１        キャップ
１ａ      外側底面
１ａ−１  表示部
１ｂ      ステープル
１ｃ      内側底面
１ｄ      プレート
２        ラケット
２ａ      グリップエンド
２ｂ      グリップ
２ｃ      フレーム
【図１】
0003178028.tif 000003
【図２】
0003178028.tif 000004
【図３】
0003178028.tif 000005
【図４】
0003178028.tif 000006
【図５】
0003178028.tif 000007